(57)【特許請求の範囲】
【請求項１】
複数種の音を記憶する記憶手段と、
自己の現在地を検出する検出手段（１０）と、
前記複数種の音から前記現在地に応じた音を選択する選択手段（５０２）と、
前記選択された音を発生する発生手段（４０６）と、
前記複数種の音のそれぞれの特徴を示す特徴情報を記憶するための特徴記憶手段（５０ａ）とを有し、
前記選択手段が、前記現在地の情報と前記特徴情報との相関値を前記音毎に求めるとともに、この求められた前記音毎の相関値に応じて前記音を選択することを特徴とする移動体用音発生装置。
【請求項２】
前記音に対する使用者の好み、および使用者の現在状況のうち少なくとも一方の情報を設定するための設定手段（４０１）を有し、
前記選択手段が、前記一方の情報を前記現在地の情報に加味して前記音を選択することを特徴とする請求項１に記載の移動体用音発生装置。
【請求項３】
使用者により操作されて前記特徴情報が前記音毎に入力されて、この入力された前記音毎の前記特徴情報を前記特徴記憶手段に記憶させる記憶設定手段（５０１）を有することを特徴とする請求項１または２に記載の移動体用音発生装置。
【発明の詳細な説明】
【０００１】
【発明の属する技術分野】
本発明は、音を発生する移動体用音発生装置に関する。
【０００２】
【従来の技術および発明が解決しようとする課題】
従来、この種の情報報知装置として、表示部と、現在地を検出する位置検出部とを備え、この現在地を含む地図を表示部に表示させるナビゲーション装置がある。
【０００３】
しかし、このナビゲーション装置では、海沿いの場所等の地理的に特徴を有する地理的特徴場所に自己が到達した場合、現在地を含む地図を表示部によって表示させるだけで、現在地が地理的特徴場所であることを使用者に報知することができない。
【０００４】
また、自動車の中では、運転者或いは同乗者が事前に音楽用ＣＤ、ＭＤ、カセットテープなどを用意しない限り、選局したラジオ局から送られる不特定の音楽やナレーションを聞く他なかった。従って、例えば、海沿いの場所に到達したとき、海沿いの場所にふさわしい音楽を聞きたいと考えても、事前に音楽用ＣＤ、ＭＤ、カセットテープなどを用意しない限り、このような音楽を聴くことができない。
【０００５】
また、例えば、複数のＣＤから音楽データを読み出すためのＣＤチェンジャが用意されている場合であっても、例えば、海沿いの場所に到達したときに、運転者（或いは、乗員）が、ＣＤチェンジャに対して、複数のＣＤから海沿いの場所にふさわしい音楽を素早く選曲するのは困難である。
【０００６】
本発明は、上記点に鑑みてなされたもので、地理的に特徴を有する地理的特徴場所に自己が位置するとき、現在地が地理的特徴場所であることを使用者に報知できる情報報知装置を提供することを目的とする。
【０００７】
また、本発明は、現在地にふさわしい音を発生できる移動体用音発生装置を提供することを第２の目的とする。
【００２２】
【課題を解決するための手段】
請求項１に記載の発明では、上記第２の目的を達成するため、複数種の音を記憶する記憶手段と、自己の現在地を検出する検出手段（１０）と、複数種の音から現在地に応じた音を選択する選択手段（５０２）と、選択された音を発生する発生手段（４０６）と、複数種の音のそれぞれの特徴を示す特徴情報を記憶するための特徴記憶手段（５０ａ）とを有し、選択手段が、現在地の情報と特徴情報との相関値を音毎に求めるとともに、この求められた音毎の相関値に応じて音を選択することを特徴とする。
【００２３】
このように、現在地に応じた音を選択しこの選択した音を発生するので、現在地にふさわしい音を発生することができる。
【００２４】
請求項２に記載の発明では、音に対する使用者の好み、および使用者の現在状況のうち少なくとも一方の情報を設定するための設定手段（４０１）を有し、選択手段が、一方の情報を現在地の情報に加味して音を選択することを特徴とする。
【００２５】
これにより、音の選択しては、音に対する使用者の好み、および使用者の現在状況のうち少なくとも一方の情報を、現在地の情報に加味することができる。
【００２７】
また、請求項３に記載の発明のように、使用者により操作されて特徴情報が音毎に入力されて、この入力された音毎の特徴情報を特徴記憶手段に記憶させる記憶設定手段（５０１）を有するようにすれば、音毎の特徴情報を自由に設定することができる。
【００２８】
因みに、上記各手段の括弧内の符号は、後述する各実施形態に記載の具体的手段との対応関係を示す一例である。
【００２９】
【発明の実施の形態】
（第１の実施形態）
図１に、本発明の情報報知装置が適用された車載用ナビゲーション装置の概略構成を示す。
【００３０】
図１に示すように、車載用ナビゲーション装置は、位置検出器１０、地図データ入力器２０、操作スイッチ群３０、音声出力器４０、外部メモリ５０、表示器６０、リモコンセンサ７０、リモコン８０、音声認識ユニット９０、マイク９０ａ、および制御回路１００から構成されている。
【００３１】
位置検出器１０は、自車（自己）の現在地を検出するために、地磁気センサ１１、ジャイロスコープ１２、距離センサ１３、およびＧＰＳ受信機１４等を有する。地図データ入力器２０は、ハードディスク、ＣＤ−ＲＯＭ、ＤＶＤ−ＲＯＭ等の地図ディスク（地図データ記憶媒体）から地図データを読み取る。地図ディスクには、地図表示に用いられる道路地図データなどが記憶されている。
【００３２】
操作スイッチ群３０は、ナビゲーションに必要な各種操作を行うためのもので、表示部６０と一体になったタッチスイッチおよび、画面周囲に配置されたメカニカルなスイッチ等からなる。このタッチスイッチには、詳細地図の表示、広域地図の表示などの各種機能が割り付けられている。また、音声出力器４０は、スピーカから構成されて、走行案内のための音声や画面操作の説明のために音声を発する。
【００３３】
外部メモリ５０は、メモリカード等から構成されており、外部メモリ５０には、海沿いの場所、山沿いの場所への自車の到着を使用者に報知するためのデータが記憶されている。なお、外部メモリ５０に記憶されたデータについては後述する。
【００３４】
表示器６０は、液晶ディスプレイ等のカラーの表示部であって、道路地図ととともに、タッチスイッチの機能を示す画像（以下、スイッチ機能画像という）を表示する。タッチスイッチとしては、詳細地図を表示させる機能、広域地図を表示させる機能などが割り付けられている。
【００３５】
リモコンセンサ７０は、リモコン８０からの信号を赤外線（或いは、電波、超音波）を媒体として受信する。リモコン８０は、操作スイッチ群３０と同様に、ナビゲーションに必要な各種操作を行うための各操作スイッチを備えている。
【００３６】
音声認識ユニット９０は、使用者が発声した音声の音声信号をマイク９０ａから取り込んで音声認識を行うように構成されている。このことにより、使用者は、この音声認識を用いて各種の音声指示を車載用ナビゲーション装置に入力することができる。
【００３７】
制御回路１００は、コンピュータを用いて構成されており、マイクロコンピュータ、ＲＯＭ、ＲＡＭ、Ｉ／Ｏおよびこれらの構成を接続するためのバスラインから構成されている。
【００３８】
マイクロコンピュータは、現在地を示す現在地マークと、現在地を含む道路地図とを重ねて表示させるとともに、各スイッチ機能画像を表示させるための処理を行う。また、マイクロコンピュータは、海沿いの場所、山沿いの場所への自車の到着を使用者に報知するための到着報知処理を行う。
【００３９】
ＲＯＭは、例えば、ＦｌａｓｈＲＯＭ（不揮発性メモリ）であって、コンピュータプログラムを格納するとともに、このコンピュータプログラムの実行に伴う各種データを格納するワークメモリとして機能する。また、ＲＡＭは、ＳＲＡＭ、ＤＲＡＭ等から構成されて、地図データ入力器２０から取得した地図データを一時的に格納するとともに、ＦｌａｓｈＲＯＭと同様にワークメモリとして機能する。
【００４０】
次に、外部メモリ５０に記憶されたデータについて図２（ａ）、（ｂ）を用いて説明する。
【００４１】
外部メモリ５０には、位置情報のデータベースが記憶されており、このデータベースには、図２（ａ）に示すように、この山沿いの場所として予め設定された各地域の経度、緯度（例えば、東経△△△〜東経○○○、北緯×××〜□□□）が記憶されている。これに加えて、データベースには、図２（ｂ）に示すように、海沿いの場所として予め設定された各地域の経度、緯度（例えば、東経●●△〜東経■●●、北緯◆××〜■■■）が記憶されている。
【００４２】
また、外部メモリ５０には、山沿い音声データ、海沿い音声データが記憶されており、山沿い音声データは、山沿いの場所を連想させる音声を出力させるためのデータである。海沿い音声データは、海沿いの場所を連想させる音声を出力させるためのデータである。
【００４３】
さらに、外部メモリ５０には、山沿い配色データ、海沿い配色データが記憶されており、山沿い配色データは、表示部６０で表示される道路地図の背景色を山沿いの場所を連想させる配色に変更するためのデータである。また、山沿い配色データは、表示部６０により表示されるスイッチ機能画像の配色を山沿いの場所を連想させる配色に変更するためのものでもある。
【００４４】
海沿い配色データは、表示部６０で表示される道路地図の背景の配色を海沿いの場所を連想させる配色に変更するためのデータである。また、海沿い配色データは、表示部６０により表示されるスイッチ機能画像の配色を海沿いの場所を連想させる配色に変更するためのものでもある。
【００４５】
以上のように構成された本実施形態において、使用者が地図表示の開始操作を操作スイッチ群３０またはリモコン８０に対して行うと、制御回路１００のマイクロコンピュータが、地図データ入力器２０により読み取られた道路地図データと、位置検出器１０により検出された現在地とに基づき、この検出された現在地を含む周辺道路地図と、この周辺道路地図上で現在地を示す現在地マークと、各スイッチ機能画像とを表示部６０によって表示させる処理を行う。
【００４６】
ここで、マイクロコンピュータは、このような地図の表示処理と時分割で到着報知処理を繰り返し行う。この到着報知処理は、海沿いの場所、山沿いの場所への自車の到着を使用者に報知するための処理である。以下、到着報知処理について図３を用いて説明する。
【００４７】
マイクロコンピュータは、図３に示すフローチャートに従って、所定プログラムを実行する。
【００４８】
先ず、位置検出部１０によって検出された自車の現在地と、外部メモリ５０に記憶された位置情報のデータベースとに基づき、自車の現在地が、海沿いの場所または山沿いの場所であるか否かを判定する（ステップ２００）。現在地が海沿いの場所であることを判定した場合には（ステップ２００：ＹＥＳ）、外部メモリ５０から海沿い配色データおよび海沿い音声データを取得する（ステップ２１０）。これに伴い、この海沿い音声データに基づき、海沿いの場所を連想させる音声を音声出力器４０から出力させる。これに加えて、海沿い配色データに基づき、表示部６０により表示される道路地図および各スイッチ機能画像の双方の配色を海沿いの場所を連想させる配色に変更する（ステップ２２０）。
【００４９】
また、ステップ２００において、現在地が山沿いの場所であることを判定した場合には（ステップ２００：ＹＥＳ）、外部メモリ５０から山沿い配色データおよび山沿い音声データを取得する（ステップ２１０）。これに伴い、山沿い音声データに基づき、山沿いの場所を連想させる音声を音声出力器４０から出力させる。これに加えて、山沿い配色データに基づき、表示部６０により表示される道路地図および各スイッチ機能画像の双方の配色を山沿いの場所を連想させる配色に変更する（ステップ２２０）。
【００５０】
以上のような到着報知処理を、地図の表示処理と時分割で繰り返しを行うことにより、到着報知処理の実行毎にステップ２００で自車の現在地が山沿いの場所であるとしてＹＥＳと判定した場合には、自車が山沿いの場所に位置する期間に亘り、道路地図および各スイッチ機能画像の双方を山沿いの場所を連想させる配色で継続的に表示させることになる。
【００５１】
また、到着報知処理の実行毎にステップ２００で自車の現在地が海沿いの場所であるとしてＹＥＳと判定した場合には、自車が海沿いの場所に位置する期間に亘り、道路地図および各スイッチ機能画像の双方を海沿いの場所を連想させる配色で継続的に表示させることなる。
【００５２】
これに加えて、到着報知処理の実行毎にステップ２００で自車の現在地が山沿いの場所（或いは、海沿いの場所）であるとしてＹＥＳと判定しても、一回目のステップ２２０だけ、山沿いの場所（或いは、海沿いの場所）を連想させるための音声を音声出力器４０から出力させるものの、二回目以降のステップ２２０では、山沿いの場所（或いは、海沿いの場所）を連想させるための音声を音声出力器４０から出力させないようにすることが好適である。
【００５３】
このことにより、山沿いの場所（或いは、海沿いの場所）に自車が到着したときだけ、山沿いの場所（或いは、海沿いの場所）を連想させるための音声を音声出力器４０から出力させることになる。
【００５４】
以上のようなマイクロコンピュータによる到着報知処理の具体例について説明する。
【００５５】
先ず、海沿いの場所での到着報知処理の具体例として、図４に示す矢印Ｙ１のごとく、自車が、地点Ａから海沿いの場所Ｕを経て地点Ｂに到達するように走行した一例について説明する。図４は、海沿いの場所を含む走行経路Ｙ１を示す道路地図、図５（ａ）〜（Ｃ）は、表示部６０の表示を示す図である。図４中の二点鎖線の枠内が海沿いの場所Ｕを示している。
【００５６】
地点Ａでは、マイクロコンピュータが、図５（ａ）に示すように、地点Ａの周辺道路地図（現在地を含む道路地図）と、この周辺道路地図上の現在地マークＧＭと、スイッチ機能画像６１ａ、６１ｂとを表示器６０によって表示させる。
【００５７】
この場合、周辺道路地図のうち道路等の構造物等以外の背景６２の配色が、肌色で表示され、スイッチ機能画像６１ａ、６１ｂのうち文字（「詳細」、「広域」）以外の余白の配色が、灰色で表示される。
【００５８】
なお、スイッチ機能画像［詳細］６１ａは、詳細地図の表示させる機能を示し、スイッチ機能画像［拡大］６１ｂは、拡大地図の表示させる機能を示す。
【００５９】
次に、自車が海沿いの場所Ｕに到達すると、マイクロコンピュータが、図５（ｂ）に示すように、到達地点の周辺道路地図と、この周辺道路地図上の現在地マークＧＭと、スイッチ機能画像６１ａ、６１ｂとを表示器６０によって表示させる。
【００６０】
この場合、周辺道路地図のうち背景６２の配色が、地点Ａの場合と比べて、次のように変更される。すなわち、背景６２の配色は、肌色の下地に青色の斜線が複数本加えられた配色になる。これにより、自車が海沿いの場所Ｕに到着した場合には、使用者から視ると、背景６２の配色が肌色から青色に近づくように変化することになる。
【００６１】
さらに、スイッチ機能画像６１ａ、６１ｂのうち文字以外の余白の配色が、灰色の下地に青色の斜線を複数本加えられた配色に変更される。これにより、使用者から視ると、スイッチ機能画像６１ａ、６１ｂの余白の配色が灰色から青色に近づくように変更されることになる。
【００６２】
以上のように周辺道路地図およびスイッチ機能画像の配色が青色に近づくように変更される。そして、このような青色に近づくような配色は、自車が海沿いの場所Ｕに位置する期間に亘り、継続されることになる。このため、自車が海沿いの場所Ｕに位置する限り、使用者にとっては、現在地が海沿いの場所Ｕであることを連想することができる。
【００６３】
また、マイクロコンピュータは、図５（ｂ）に示すように、海沿いの場所Ｕに自車が到着したときだけ、海沿いの場所Ｕを連想させるための音声して、波が波打ち際に打ち寄せる音（ザザー）を音声出力器４０から出力させる。
【００６４】
次に、自車が海沿いの場所Ｕから抜けて地点Ｂに到達すると、マイクロコンピュータが、図５（ｃ）に示すように、地点Ｂの周辺道路地図と、この周辺道路地図上の現在地マークＧＭと、スイッチ機能画像６１ａ、６１ｂとを表示器６０によって表示させる。
【００６５】
この場合、周辺道路地図のうち背景６２の配色が、図５（ａ）の場合と同様に肌色に変更表示され、スイッチ機能画像６１ａ、６１ｂのうち文字以外の余白の配色が、灰色で変更表示される。
【００６６】
このことにより、自車が海沿いの場所Ｕから抜けると、周辺道路地図の背景６２の配色と、スイッチ機能画像６１ａ、６１ｂのうち文字以外の余白の配色とが、元の配色に戻るため、自車が海沿いの場所Ｕから抜けたことを使用者に報知することができる。
【００６７】
次に、山沿いの場所での到着報知処理の具体例として、図６に示す矢印Ｙ２のごとく、自車が、地点Ｃから山沿いの場所Ｍを経て地点Ｄに到達するように走行した一例について説明する。図６は、山沿いの場所を含む走行経路Ｙ２を示す道路地図、図７（ａ）〜（Ｃ）は、表示部６０の表示を示す図である。図６中の二点鎖線の枠内が山沿いの場所Ｍを示している。
【００６８】
地点Ｃでは、マイクロコンピュータが、図７（ａ）に示すように、Ｃ地点の周辺道路地図と、この周辺道路地図上の現在地マークＧＭと、スイッチ機能画像６１ａ、６１ｂとを表示器６０によって表示させる。
【００６９】
この場合、周辺道路地図のうち道路等の構造物および記号（例えば、山を示す記号▲）以外の背景６２の配色が、図５（ａ）、図５（ｃ）の場合と同様に、肌色で表示され、スイッチ機能画像６１ａ、６１ｂうち文字以外の余白の配色が、図５（ａ）、図５（ｃ）の場合と同様に、灰色で表示される。
【００７０】
次に、自車が山沿いの場所Ｍに到達すると、マイクロコンピュータが、図７（ｂ）に示すように、到達地点の周辺道路地図と、この周辺道路地図上の現在地マークＧＭと、スイッチ機能画像６１ａ、６１ｂとを表示器６０によって表示させる。
【００７１】
この場合、周辺道路地図のうち背景６２の配色が、肌色の下地に茶色の斜線が複数本加えられた配色になる。これにより、自車が海沿いの場所Ｕに到着した場合には、使用者から視ると、背景６２の配色が肌色から茶色に近づくように変化することになる。
【００７２】
さらに、スイッチ機能画像６１ａ、６１ｂのうち文字以外の余白の配色が、灰色の下地に茶色の斜線を複数本加えられた配色に変更される。これにより、使用者から視ると、スイッチ機能画像６１ａ、６１ｂの余白の配色が灰色から茶色に近づくように変更されることになる。
【００７３】
以上のように周辺道路地図およびスイッチ機能画像の配色が茶色に近づくように変更される。そして、このような茶色に近づくような配色は、自車が山沿いの場所Ｍに位置する期間に亘り、継続されることになる。このことにより、自車が山沿いの場所Ｍに位置する限り、使用者にとって、現在地が山沿いの場所Ｍであることを連想することができる。
【００７４】
また、マイクロコンピュータは、図７（ｂ）に示すように、山沿いの場所Ｍに自車が到着したときだけ、山沿いの場所Ｍを連想させるための音声して、ウグイスの鳴き声［ホーホケキョ］を音声出力器４０から出力させる。
【００７５】
次に、自車が山沿いの場所Ｍから抜けて地点Ｄに到達すると、マイクロコンピュータが、図７（ｃ）に示すように、地点Ｄの周辺道路地図と、この周辺道路地図上の現在地マークＧＭと、スイッチ機能画像６１ａ、６１ｂとを表示器６０によって表示させる。
【００７６】
この場合、周辺道路地図のうち背景６２の配色が、図７（ａ）の場合と同様に、肌色で表示され、スイッチ機能画像６１ａ、６１ｂのうち文字以外の余白の配色が、図７（ａ）の場合と同様に、灰色で表示される。このように、自車が山沿いの場所Ｍから抜けると、周辺道路地図の背景６２の配色と、スイッチ機能画像６１ａ、６１ｂのうち文字以外の余白の配色とが、元の配色に戻るため、自車が山沿いの場所Ｍから抜けたことを使用者に報知することができる。
【００７７】
以上説明したように本実施形態によれば、マイクロコンピュータは、現在地が海沿いの場所（或いは、山沿いの場所）であることを判定した場合には、現在地が海沿いの場所（或いは、山沿いの場所）である旨を、表示部６０及び音声出力器４０によって報知させるので、自己の現在地が海沿いの場所（或いは、山沿いの場所）であることを使用者に報知できる。
【００７８】
また、海沿いの場所（或いは、山沿いの場所）に自車が到着したときだけ、海沿いの場所（或いは、山沿いの場所）を連想させるための音声を音声出力器４０から出力させるので、運転者は、音声出力器４０からの音声出力に邪魔されることなく、運転を行うことができる。
【００７９】
なお、上記第１実施形態では、報知手段として、音声出力器４０と表示部６０とを適用した例について説明したが、これに限らず、情報の報知を行う装置であれば、各種の装置を用いてもよい。さらに、音声出力器４０と表示部６０とのいずれか一方を報知手段として用いてもよい。
【００８０】
さらに、表示部６０では、現在地が海沿いの場所（或いは、山沿いの場所）であることを報知するために、道路地図およびスイッチ機能画像６１ａ、６１ｂの配色を変更した例について説明したが、これに限らず、道路地図およびスイッチ機能画像以外の画像を表示してこの画像の配色を変更するようにしてもよい。
【００８１】
また、上記第１実施形態では、表示器６０による表示の配色を変更することにより、現在地が海沿いの場所（或いは、山沿いの場所）であることを報知させるようにした例について説明したが、これに限らず、文字情報を表示器６０で表示させることにより、現在地が海沿いの場所（或いは、山沿いの場所）であることを報知させるようしてもよい。或いは、文字情報の表示に代えて、現在地が海沿いの場所（或いは、山沿いの場所）を連想させる画像（例えば、富士山を示す画像、海岸の景色を示す画像など）を表示させるようにしてもよい。
【００８２】
さらに、本発明の実施にあたり、海沿いの場所（或いは、山沿いの場所）を連想させる配色としては、昼間と夜間とで分けるようにしてもよい。
【００８３】
さらに、上記第１実施形態では、自己の現在地を検出する検出手段として、地磁気センサ１１、ジャイロスコープ１２、距離センサ１３、およびＧＰＳ受信機１４等から構成される位置検出器１０を適用した例について説明したが、これに限らず、自己の現在地を検出するためのものであるならば、各種の装置を適用してもよい。
【００８４】
また、上記第１実施形態では、地理的な特徴を有する地理的特徴場所の位置情報を記憶する記憶手段として、メモリカード等から構成される外部メモリ５０を適用した例について説明したが、これに限らず、地理的な特徴を有する地理的特徴場所の位置情報を記憶するためのものであるならば、不揮発性メモリ、ＣＤ−ＲＯＭ、ＤＶＤ−ＲＯＭ、ハードディスクなどの各種の装置を用いてもよい。
【００８５】
なお、上記第１実施形態では、地理的特徴場所として、海沿いの場所、山沿いの場所を適用した例について説明したが、これに限らず、地表における産業、人口、交通、政治などで特徴を有する場所として、例えば、都会、田舎などを適用してもよい。或いは、地形で特徴を有する場所として、湖沿いの場所、川沿いの場所などを適用してもよい。
【００８６】
さらに、上記第１実施形態では、操作スイッチ群３０またはリモコン８０を用いて地図表示を開始させるようにした例について説明したが、これに限らず、地図表示を開始させるためのものであるならば、音声認識ユニット９０及びマイク９０ａを用いた音声認識処理を用いてもよい。さらに、操作スイッチ群３０、リモコン８０、或いは、音声認識処理によって、到着報知処理の実行許可、或いは実行禁止を設定できるようにしてもよい。
【００８７】
さらに、上記第１実施形態では、海沿いの場所を連想させる配色として、元の色（山沿いの場所、海沿いの場所に関わりない場所の配色）としての肌色から青色に近づくような配色を用いた例について説明したが、これに限らず、海沿いの場所を連想させる配色であるならば、あらゆる配色を用いてもよい。ここで、元の色としては、肌色に限らず、各種の色を用いてもよい。さらに、肌色から青色に近づくような配色として、肌色の下地に青色の斜線が複数本加えれた配色を用いた例について説明したが、これに限らず、肌色の下地に青色のドットが複数個加えれた配色を用いてもよい。
【００８８】
同様に、山沿いの場所を連想させる配色として、元の色としての肌色から茶色に近づくような配色を用いた例について説明したが、これに限らず、山沿いの場所を連想させる配色であるならば、あらゆる配色を用いてもよい。さらに、肌色から茶色に近づくような配色として、肌色の下地に茶色の斜線が複数本加えれた配色を用いた例について説明したが、これに限らず、肌色の下地に茶色のドットが複数個加えれた配色を用いてもよい。
【００８９】
なお、上記第１実施形態では、自車が海沿いの場所（或いは、山沿いの場所）に位置している期間中、道路地図及びスイッチ機能画像を変更された配色で継続的に表示させるようにする例について説明したが、これに限らず、例えば、自車が海沿いの場所（或いは、山沿いの場所）に位置している期間中、間欠的に、配色を変更してもよい。
【００９０】
さらに、上記第１実施形態では、スイッチ機能画像として、表示部６０と一体になったタッチスイッチの各機能を示す画像を適用した例について説明したが、これに限らず、スイッチの機能を示す画像であるならば、画面周辺に設けられたメカニカルなスイッチの機能を示す画像、或いは、リモコンに設けられた各操作スイッチで操作可能な機能を示す画像などを適用してもよい。
【００９１】
なお、上記第１実施形態では、山沿いの場所を連想させるための音声して、ウグイスの鳴き声を適用した例について説明したが、これに限らず、山沿いの場所Ｍを連想させるための音声ならば、小鳥のさえずり、滝で水が流れる音など各種の音声を用いてもよい。
【００９２】
さらに、上記第１実施形態では、海沿いの場所を連想させるための音声して、波の音（波が波打ち際に打ち寄せる音）を適用した例について説明したが、これに限らず、海沿いの場所を連想させるための音声ならば、船の汽笛など各種の音声を用いてもよい。
【００９３】
また、上記第１実施形態では、自車が海沿いの場所（或いは、山沿いの場所）に到達したときだけ、海沿いの場所（或いは、山沿いの場所）を連想させるための音声を出力させる例について説明したが、これに限らず、自車が海沿いの場所（或いは、山沿いの場所）に位置する期間に亘り、海沿いの場所（或いは、山沿いの場所）を連想させるための音声出力させるようにしてもよい。或いは、自車が海沿いの場所（或いは、山沿いの場所）に位置する期間中に、海沿いの場所（或いは、山沿いの場所）を連想させるための音声出力を間欠的に出力するようにしてもよい。
【００９４】
（第２実施形態）
上記第１実施形態では、車載用ナビゲーション装置は、現在地が海沿いの場所（或いは、山沿いの場所）であることを判定した場合に、現在地が海沿いの場所である旨を乗員に報知するものを示したが、本第２実施形態では、これに代えて、現在地に応じた音楽を発生させるものを示す。この場合の構成を図８に示す。
【００９５】
図８において、車載用ナビゲーション装置３００の制御回路は、後述するように、自動車電話３１０、移動体通信網の基地局３２０、インターネット３３０を介してミュージックサーバ３４０と通信することにより、ミュージックサーバ３４０に対して音楽データを選択させてこの選択した音楽データをミュージックサーバ３４０から受信するための処理を行う。なお、車載用ナビゲーション装置３００のうち、制御回路以外の構成は、上記第１実施形態と同様である。
【００９６】
ミュージックサーバ３４０は、通信装置、制御装置、および記憶装置から構成されており、通信装置は、基地局３２０、インターネット３３０、自動車電話３１０を介して車載用ナビゲーション装置３００と通信する。また、制御装置は、コンピュータを備え、後述するように、車載用ナビゲーション装置３００からの指令を受け、音楽データを選択するとともにこの選択した音楽データを車載用ナビゲーション装置３００に送信するための処理を実行する。
【００９７】
記憶装置は、ハードディスク、ＤＶＤ、ＣＤ等から構成され、コンピュータプログラム以外に、音楽データｍ（１）〜ｍ（ｎ）（ｎは整数）を記憶するとともに、音楽データ毎に後述する設定データｐ（１）〜ｐ（ｎ）を記憶する。
【００９８】
設定データｐ（ｈ）（１≦ｈ≦ｎ）は、図９に示すように、音楽データ毎に曲の特徴を示すデータで、運転モード係数ＡＸ（ｉ）、ジャンル係数ＢＸ（ｉ）、曲調係数ＣＸ（ｉ）、位置係数ＤＸ（ｉ）および季節／時刻係数ＥＸ（ｉ）から構成されている。
【００９９】
運転モード係数ＡＸ（ｉ）は、数式１に示すように、度数Ａ（１）〜Ａ（４）から構成されている。
【０１００】
【数１】
ＡＸ（ｉ）＝｛Ａ（１）、Ａ（２）、Ａ（３）、Ａ（４）｝
ここで、度数Ａ（１）は、通勤中／通学中にどの程度聞きたいと要望されている音楽かを表し、Ａ（２）は、仕事中にどの程度聞きたいと要望されている音楽かを表す。度数Ａ（３）は、レジャー中にどの程度聞きたいと要望されている音楽かを表し、度数Ａ（４）は、デート中にどの程度聞きたいと要望されている音楽かを表す。なお、度数Ａ１〜Ａ５は、それぞれ、５段階で表され、程度が大きくなるほど大きな数字が設定される。
【０１０１】
ジャンル係数ＢＸ（ｉ）は、音楽のジャンルを表すもので、数式２に示すように、Ｂ（１）〜Ｂ（５）から構成されている。
【０１０２】
【数２】
ＢＸ（ｉ）＝｛Ｂ（１）、Ｂ（２）、Ｂ（３）、Ｂ（４）、Ｂ（５）｝
ここで、Ｂ（１）、Ｂ（２）、Ｂ（３）、Ｂ（４）、Ｂ（５）は、それぞれ、演歌、ポップス、ロック、ジャズ、クラシックに対応して、Ｂ（１）〜Ｂ（５）のうち該当するジャンルに対応するデータだけ“１”とし、そのデータ以外を“０”とする。例えば、当該音楽データのジャンルが演歌の場合、ＢＸ（ｉ）＝｛１、０、０、０、０｝になる。
【０１０３】
曲調係数ＣＸ（ｉ）は、数式３に示すように、度数Ｃ（１）〜Ｃ（４）から構成されている。
【０１０４】
【数３】
ＣＸ（ｉ）＝｛Ｃ（１）、Ｃ（２）、Ｃ（３）、Ｃ（４）｝
ここで、度数Ｃ（１）は、どの程度元気のでる音楽かを表し、度数Ｃ（２）は、どの程度静かな音楽かを表し、度数Ｃ（３）は、どの程度ムーディな音楽かを表し、度数Ｃ（４）は、どの程度悲しげな音楽かを表す。なお、度数ｃ１〜ｃ４は、それぞれ、５段階で表され、程度が大きくなるほど大きな数字が設定される。
【０１０５】
位置係数ＤＸ（ｉ）は、数式４に示すように、度数Ｄ（１）〜Ｄ（４）から構成されている。
【０１０６】
【数４】
ＤＸ（ｉ）＝｛Ｄ（１）、Ｄ（２）、Ｄ（３）、Ｄ（４）｝
ここで、度数Ｄ（１）は、どの程度都会にふさわしい音楽かを表し、度数Ｄ（２）は、どの程度田舎にふさわしい音楽かを表し、度数Ｄ（３）は、どの程度山沿いの場所にふさわしい音楽かを表し、度数Ｃ（４）は、どの程度海沿いの場所にふさわしい音楽かを表す。なお、度数Ｄ（１）〜Ｄ（４）は、それぞれ、５段階で表され、程度が大きくなるほど大きな数字が設定される。
【０１０７】
時刻係数ＥＸ（ｉ）は、数式５に示すように、度数Ｅ（１）〜Ｅ（９）から構成されている。
【０１０８】
【数５】
ＥＸ（ｉ）＝｛Ｅ（１）、Ｅ（２）…Ｅ（９）｝
ここで、度数Ｅ（１）は、どの程度春（３月〜５月）にふさわしい音楽かを表し、度数Ｅ（２）は、どの程度夏（６月〜８月）にふさわしい音楽かを表し、度数Ｅ（３）は、どの程度秋（９月〜１１月）にふさわしい音楽かを表し、度数Ｅ（４）は、どの程度冬（１２月〜２月）にふさわしい音楽かを表す。
【０１０９】
また、度数Ｅ（５）は、どの程度明け方（ＡＭ４：００〜５：００）にふさわしい音楽かを表し、度数Ｅ（６）は、どの程度朝（ＡＭ５：００〜９：００）にふさわしい音楽かを表し、度数Ｅ（７）は、どの程度昼（ＡＭ９：００〜ＰＭ４：００）にふさわしい音楽かを表し、度数Ｅ（８）は、どの程度夕暮れ（ＰＭ４：００〜６：００）にふさわしい音楽かを表し、度数Ｅ（９）は、どの程度夜（ＰＭ６：００〜ＡＭ４：００）にふさわしい音楽かを表す。なお、度数Ｅ（１）〜Ｅ（９）は、それぞれ、５段階で表され、程度が大きくなるほど大きな数字が設定される。
【０１１０】
また、記憶装置は、上記第１実施形態で示した外部メモリ５０と同様、位置情報のデータベースが構成されており、このデータベースには、山沿いの場所として予め設定された各地域の経度、緯度と、海沿いの場所として予め設定された各地域の経度、緯度とが記憶されている。さらに、データベースには、都会として予め設定された各地域の経度、緯度と、田舎として予め設定された各地域の経度、緯度とが記憶されている。
【０１１１】
次に、本実施形態の作動について説明する。制御回路は、図１０に示すフローチャートに従って、所定プログラムを実行する。
【０１１２】
最初に、乗員が操作スイッチ群３０またはリモコン８０に対して、この所定プログラムを開始させる為の操作を始めると、乗員に対して、後述するモードデータの変更（或いは、新規登録）を希望するか否かを問い合わせるため画像を表示器６０に表示させる。ここで、乗員が操作スイッチ群３０またはリモコン８０に対してモードデータの変更（或いは、新規登録）を指示するための操作を行うと、ステップ４００でＹＥＳと判定する。これに伴い、乗員に対して、モードデータとして、後述する運転モードデータ、ジャンルデータなどを入力させるための画像を表示器６０に表示させて、次のようにモードデータを設定する（ステップ４０１）。
【０１１３】
先ず、この表示により、乗員の現在の状況（例えば、運転者の場合には、運転の状況）として、通勤／通学、仕事、レジャー、デートのうちいずれに該当するかを選択させる。このとき、乗員が操作スイッチ群３０またはリモコン８０に対して自己の状況に該当するものを選択するための操作を行うと、この操作に応じて、数式６に示すように、乗員の現在の状況を示す運転モードデータａｙ（ｉ）を生成する。
【０１１４】
【数６】
ａｙ（ｉ）＝｛ａ（１）、ａ（２）、ａ（３）、ａ（４）｝
ここで、データａ（１）、ａ（２）、ａ（３）、ａ（４）は、それぞれ、通勤／通学、仕事、レジャー、デートに対応し、データａ（１）〜ａ（４）のうち乗員の現在の状況に該当するものを“１”とし、その他を“０”とする。例えば、乗員が現在の状況として“仕事”を選択した場合には、ａｙ（ｉ）＝｛０、１、０、０｝になる。
【０１１５】
これに加えて、乗員に対し、好みのジャンルを、演歌、ポップス、ロック、ジャズ、クラシックのうち選択させるための画像を表示器６０に表示させる。このとき、乗員が操作スイッチ群３０またはリモコン８０に対して好みのジャンルに該当するものを選択するための操作を行うと、この操作に応じて、数式７に示すように、ジャンルデータｂｙ（ｉ）を生成する。
【０１１６】
【数７】
ｂｙ（ｉ）＝｛ｂ（１）、ｂ（２）、ｂ（３）、ｂ（４）、ｂ（５）｝
ここで、ｂ（１）、ｂ（２）、ｂ（３）、ｂ（４）、ｂ（５）は、それぞれ、演歌、ポップス、ロック、ジャズ、クラシックに対応して、Ｂ（１）〜Ｂ（５）のうち好みのジャンルに対応するデータだけ“１”とし、そのデータ以外を“０”とする。例えば、好みのジャンルが演歌の場合、ｂ（ｉ）＝｛１、０、０、０、０｝になる。
【０１１７】
さらに、表示器６０の表示により、好みの曲調を、「元気がでる」、「静かな」、「ムーディ」、「悲しげ」のうちいずれに該当するかを選択させる。このとき、乗員が操作スイッチ群３０またはリモコン８０に対して好みの曲調に該当するものを選択するための操作を行うと、この操作に応じて、数式８に示すように、曲調データｃｙ（ｉ）を生成する。
【０１１８】
【数８】
ｃｙ（ｉ）＝｛ｃ（１）、ｃ（２）、ｃ（３）、ｃ（４）｝
ここで、データｃ（１）、ｃ（２）、ｃ（３）、ｃ（４）は、それぞれ、「元気がでる」、「静かな」、「ムーディ」、「悲しげ」に対応し、データｃ（１）〜ｃ（４）のうち好みの曲調に該当するものを“１”とし、その他を“０”とする。例えば、好みの曲調として、「悲しげ」を選択した場合には、ｃｙ（ｉ）＝｛０、０、０、１｝になる。
【０１１９】
以上のように、運転モードデータａｙ（ｉ）、ジャンルデータｂｙ（ｉ）、曲調データｃｙ（ｉ）をモードデータとして求め、このモードデータを外部メモリ５０ａに対して設定することになる。これに加えて、モードデータ｛ａｙ（ｉ）、ｂｙ（ｉ）、ｃｙ（ｉ）｝を乗員に対して変更する必要がない否かを問い合わせるための画像を表示器６０に表示させる。
【０１２０】
ここで、乗員が操作スイッチ群３０またはリモコン８０に対してモードデータを変更する必要が有る旨を回答するための操作を行うと、ステップ４０２でＹＥＳと判定してモードデータ設定処理（ステップ４０１）を再度行うため、モードデータを変更することができる。
【０１２１】
また、乗員が操作スイッチ群３０またはリモコン８０に対して、モードデータを変更する必要が有る旨を回答するための操作ではなく、モードデータを変更する必要がない旨を回答するための操作を行うと、ステップ４０２でＮＯと判定する。
【０１２２】
これに伴い、モードデータを自動車電話３１０により、ミュージックサーバ３４０に対して送信させる（ステップ４０３）。これに加えて、位置検出部１０によって検出される現在地情報（すなわち、現在地の緯度、経度）を自動車電話３１０によって、ミュージックサーバ３４０に対して送信させる（ステップ４０４）。
【０１２３】
このように送信される現在地情報とモードデータは、基地局３２０、インターネット３３０を介してミュージックサーバ３４０に送られると、ミュージックサーバ３４０は、次のように、記憶装置に記憶される音楽データｍ（１）〜ｍ（ｎ）から、乗員に送信すべき音楽データを選択する。
【０１２４】
すなわち、車載用ナビゲーション装置３００から送られる現在地情報と、記憶装置に構成された位置情報のデータベースとに基づき、自車の現在地が、都会、田舎、海沿いの場所、山沿いの場所のうちいずれに該当するのかを選択する。この選択に基づき、位置データｄｙ（ｉ）を、数式９に示すように生成する。
【０１２５】
【数９】
ｄｙ（ｉ）＝｛ｄ（１）、ｄ（２）、ｄ（３）、ｄ（４）｝
ここで、データｄ（１）、ｄ（２）、ｄ（３）、ｄ（４）は、それぞれ、都会、田舎、海沿いの場所、山沿いの場所に対応し、データｄ（１）〜ｄ（４）のうち現在地に該当するものを“１”とし、その他を“０”とする。例えば、現在地が、都会に該当する場合には、ｄｙ（ｉ）＝｛１、０、０、０｝になる。
【０１２６】
次に、現在の月日（○月△日）が、春、夏、秋、冬のうちいずれに該当するのかを選択するとともに、現時刻が明け方、朝、昼、夕暮れ、夜のいずれに該当するのかを選択する。このような選択により、数式１０に示す季節／時刻データｅｙを生成する。
【０１２７】
【数１０】
ｅｙ（ｉ）＝｛ｅ（１）、ｅ（２）…ｅ（９）｝
ここで、ｅ（１）、ｅ（２）…ｅ（９）は、それぞれ、春、夏、秋、冬、明け方、朝、昼、夕暮れ、夜に対応し、ｅ（１）〜ｅ（９）のうち現在の月日、時刻２に該当するものを“１”とし、その他を“０”とする。
【０１２８】
以上のように位置データｄｙ（ｉ）および季節／時刻データｅｙ（ｉ）を求めると、双方のデータｄｙ（ｉ）、ｅｙ（ｉ）と、車載用ナビゲーション装置３００から送られるモードデータ｛ａｙ（ｉ）、ｂｙ（ｉ）、ｃｙ（ｉ）｝とに基づき、記憶装置に記憶された音楽データ毎の設定データｐ（１）〜ｐ（ｎ）のそれぞれと、モードデータおよびデータ｛ｄｙ（ｉ）、ｅｙ（ｉ）｝との相関値ｓ（１）〜ｓ（ｎ）を求める。
【０１２９】
例えば、設定データｐ（１）と、モードデータおよびデータ｛ｄｙ（ｉ）、ｅｙ（ｉ）｝との相関値ｓ（１）は、数式１１に示すように求めることができる。
【０１３０】
【数１１】
0004036047.tif 000002
【０１３１】
さらに、設定データｐ（１）の場合と同様、設定データｐ（２）〜ｐ（ｎ）のそれぞれに対し、モードデータおよびデータ｛ｄｙ（ｉ）、ｅｙ（ｉ）｝との相関値ｓ（２）〜ｓ（ｎ）を求める。
【０１３２】
以上のように求められた相関値ｓ（１）〜ｓ（ｎ）のうち最大相関値ｓを求めるとともに、音楽データｍ（１）〜ｍ（ｎ）のうち最大相関値ｓに該当する音楽データｍを求める。これに伴い、音楽データｍをインターネット３３０、基地局３２０を介して自動車電話３１０に送信し、車載用ナビゲーション装置３００の制御回路１００が、音楽データｍを受信すると（ステップ４０５）、この音楽データｍに基づき音楽を音声出力器４０から発生させる。すなわち、ミュージックサーバ３４０から送られた音楽データｍを再生することになる（ステップ４０６）。
【０１３３】
次に、所定プログラムの実行の終了を希望するか否かを問い合わせるための画像を表示器６０に表示させて、乗員が操作スイッチ群３０またはリモコン８０に対して所定プログラムの実行の終了を指示するための操作を行うと、ステップ６００でＹＥＳと判定し、所定プログラムの実行の終了する。また、乗員が操作スイッチ群３０またはリモコン８０に対して所定プログラムの実行の継続を指示するための操作を行うと、ステップ６００でＮＯと判定してモードデータ変更判定処理（ステップ４０２）に移行する。
【０１３４】
なお、乗員に対して、後述するモードデータの変更（或いは、新規登録）を希望するか否かを問い合わせるため画像を表示器６０に表示させた際に、乗員が操作スイッチ群３０またはリモコン８０に対してモードデータの変更（或いは、新規登録）を指示するための操作を行うのではなく、予め設定されたモードデータの維持を指示するための操作を行うと、ステップ４００でＮＯと判定する。この場合には、モードデータ変更判定処理（ステップ４０２）を行う。
【０１３５】
以上説明したように本実施形態によれば、ミュージックサーバ３４０に対して現在地情報を送信してミュージックサーバ３４０で現在地情報に応じた音楽データを選択させるとともに、この選択した音楽データをミュージックサーバ３４０から受信する。このため、現在地に応じた音楽データを複数のＣＤ（或いは、ＤＶＤ）から探すことなく、現在地にふさわしい音楽データを再生することができる。
【０１３６】
ここで、ミュージックサーバ３４０は、現在地情報以外に、モードデータ、季節／時刻データｅｙ（ｉ）を用いているので、音楽データを選択する上で、現在地情報に加えて、乗員の現在の状況、好みのジャンル、好みの曲調、季節、時刻などを加味できる。
【０１３７】
（第３実施形態）
上記第２実施形態では、ミュージックサーバ３４０に音楽データを選択させるようにした例を示したが、本第３実施形態では、車載用ナビゲーション装置３００自身で音楽データを選択するものを示す。この場合の構成を図１１に示す。
【０１３８】
本実施形態の車載用ナビゲーション装置３００は、図１１に示すように、位置検出器１０、地図データ入力器２０、操作スイッチ群３０、音声出力器４０、外部メモリ５０ａ、表示器６０、リモコンセンサ７０、リモコン８０、音声認識ユニット９０、マイク９０ａ、ＣＤチェンジャ８５および制御回路１００ａから構成されている。
【０１３９】
外部メモリ５０ａには、上記第２実施形態で示した位置情報のデータベースが構成されており、ＣＤチェンジャ８５は、複数の音楽ＣＤから音楽データを読み出す。また、制御回路１００ａは、後述するように、乗員からの指令に応じて音楽データを選択するとともにこの選択した音楽データを再生するための処理を実行する。
【０１４０】
次に、本実施形態の作動について説明する。制御回路１００ａは、図１２に示すフローチャートに従って、所定プログラムを実行する。
【０１４１】
先ず、乗員に対して、各音楽データの個々に対する設定データが設定済みであるか否かを問い合わせるため画像を表示器６０に表示させる。このとき、乗員が操作スイッチ群３０またはリモコン８０に対して設定データが未設定である旨を回答するための操作を行うと、ステップ５００でＮＯと判定する。これに伴い、次のように、ＣＤチェンジャ８５から読み出し可能である各音楽データｍ（１）〜ｍ（ｎ）について個々に設定データｐ（１）〜ｐ（ｎ）を設定する（ステップ５０１）。
【０１４２】
例えば、音楽データｍ（１）の設定データｐ（１）を設定する場合には、乗員に対して、音楽データｍ（１）について運転モード係数ＡＸ（ｉ）の度数Ａ（１）、Ａ（２）、Ａ（３）、Ａ（４）を入力させるための画像を表示器６０に表示させる。その後、乗員が操作スイッチ群３０またはリモコン８０に対して度数Ａ（１）〜Ａ（４）を入力させる操作を行うと、この操作に応じて設定データｐ（１）の運転モード係数ＡＸ（ｉ）を設定し外部メモリ５０ａに記憶させる。
【０１４３】
さらに、運転モード係数ＡＸ（ｉ）の場合と同様、係数ＢＸ（ｉ）、ＣＸ（ｉ）、ＤＸ（ｉ）、ＥＸ（ｉ）についても、各度数を入力させるための画像を表示器６０に表示させる。その後、操作スイッチ群３０またはリモコン８０を介して乗員から入力される各度数を基に、係数ＢＸ（ｉ）、ＣＸ（ｉ）、ＤＸ（ｉ）、ＥＸ（ｉ）を設定して外部メモリ５０ａに記憶させる。
【０１４４】
以上のように、音楽データｍ（１）の設定データｐ（１）を生成すると、この設定データｐ（１）の場合と同様、操作スイッチ群３０またはリモコン８０を介して乗員から入力される各度数を基に、設定データｐ（２）〜ｐ（ｎ）を設定して外部メモリ５０ａに記憶させる。
【０１４５】
次に、乗員に対して、モードデータの変更（或いは、新規登録）を希望するか否かを問い合わせるため画像を表示器６０に表示させる。ここで、乗員が操作スイッチ群３０またはリモコン８０に対してモードデータ（ａｙ（ｉ）、ｂｙ（ｉ）、ｃｙ（ｉ））の変更を指示するための操作を行うと、ステップ４００でＹＥＳと判定する。
【０１４６】
その後、上記第２実施形態と同様に、操作スイッチ群３０またはリモコン８０を介する乗員の操作を基に、運転モードデータａｙ（ｉ）、ジャンルデータｂｙ（ｉ）、曲調データｃｙ（ｉ）を、モードデータとして求める。すなわち、モードデータ｛ａｙ（ｉ）、ｂｙ（ｉ）、ｃｙ（ｉ）｝を、外部メモリ５０ａに対して設定する（ステップ４０１）。
【０１４７】
ここで、乗員に対してこのモードデータ｛ａｙ（ｉ）、ｂｙ（ｉ）、ｃｙ（ｉ）｝を変更する必要がない否かを問い合わせるための画像を表示器６０に表示させる。このとき、乗員が操作スイッチ群３０またはリモコン８０に対してモードデータを変更する必要がない旨を回答するための操作を行うと、ステップ４０２でＮＯと判定する。これに伴い、上記第２実施形態のミュージックサーバ３４０と同様の処理にて位置データｄｙ（ｉ）および季節／時刻データｅｙ（ｉ）を求める。
【０１４８】
これに加えて、ミュージックサーバ３４０と同様の処理にて、データｄｙ（ｉ）、ｅｙ（ｉ）と、上述したモードデータ｛ａｙ（ｉ）、ｂｙ（ｉ）、ｃｙ（ｉ）｝とに基づき、音楽データ毎の設定データｐ（１）〜ｐ（ｎ）のそれぞれと、モードデータおよびデータ｛ｄｙ（ｉ）、ｅｙ（ｉ）｝との相関値ｓ（１）〜ｓ（ｎ）を求める。さらに、相関値ｓ（１）〜ｓ（ｎ）のうち最大相関値ｓ（ｍａｘ）を求めるとともに、最大相関値ｓ（ｍａｘ）に該当する音楽データｍ（ｍａｘ）を選択し（ステップ５０２）、音楽データｍ（ｍａｘ）に基づき音楽を音声出力器４０から出力させる（ステップ４０６）。
【０１４９】
次に、所定プログラムの実行の終了を希望するか否かを問い合わせるための画像を表示器６０に表示させて、乗員が操作スイッチ群３０またはリモコン８０に対して所定プログラムの実行の終了を指示するための操作を行うと、上記第２実施形態と同様、ステップ６００でＹＥＳと判定し、所定プログラムの実行の終了する。また、乗員が操作スイッチ群３０またはリモコン８０に対して所定プログラムの実行の継続を指示するための操作を行うと、ステップ６００でＮＯと判定してモードデータ変更判定処理（ステップ４０２）に移行する。
【０１５０】
なお、乗員に対して、各音楽データの個々に対する設定データが設定済みであるか否かを問い合わせるため画像を表示器６０に表示させたとき、乗員が操作スイッチ群３０またはリモコン８０に対して設定データが設定済みである旨を回答するための操作を行うと、ステップ５００でＹＥＳと判定して、モードデータ新規登録／変更判定処理（ステップ４００）を実行する。
【０１５１】
さらに、乗員に対して、設定されたモードデータを変更する必要がない否かを問い合わせるための画像を表示器６０に表示させたとき、乗員が操作スイッチ群３０またはリモコン８０に対してモードデータを変更する必要が有る旨を回答するための操作を行うと、上記第２実施形態と同様、ステップ４０２でＹＥＳと判定してモードデータの設定処理（ステップ４０１）を行うため、モードデータの設定を再び行うことができる。
【０１５２】
また、乗員に対して、後述するモードデータの変更（或いは、新規登録）を希望するか否かを問い合わせるため画像を表示器６０に表示させた際に、乗員が操作スイッチ群３０またはリモコン８０に対してモードデータの変更（或いは、新規登録）を指示するための操作を行うのではなく、予め設定されたモードデータの維持を指示するための操作を行うと、上記第２実施形態と同様、ステップ４００でＮＯと判定する。この場合には、モードデータ変更判定処理（ステップ４０２）を行う。
【０１５３】
以上説明したように本実施形態によれば、各音楽データｍ（１）〜ｍ（ｎ）について個々に設定データｐ（１）〜ｐ（ｎ）を一旦設定すれば、上記第２実施形態と同様、設定データｐ（１）〜ｐ（ｎ）、モードデータ、位置データｄｙ（ｉ）、季節／時刻データｅｙ（ｉ）などを用いて、現在地にふさわしい音楽データ選択して再生することができる。
【０１５４】
なお、上記第１及び第３実施形態では、情報報知装置として車載用ナビゲーション装置を適用し、上記第２、３実施形態では、移動体用音発生装置として車載用ナビゲーション装置を適用した例について説明したが、これに限らず、情報報知装置或いは、移動体用音発生装置として、ポータブル式のナビゲーション装置（単に、ナビゲーション装置と称することもできる）、携帯電話、ＰＨＳなどの各種の機器に適用してもよい。
【０１５５】
さらに、上記第２、３実施形態では、音楽データを選択するのに、現在地情報（位置情報）に、乗員の現在の状況、好みのジャンル、好みの曲調、時刻、月日などの他の情報を加味するようにした例について説明したが、現在地情報だけを用いて音楽データを選択するようにしてもよい。
【０１５６】
さらに、上記第２、３実施形態では、音として音楽データを用いる例について説明したが、ナレーションなどの音楽以外の音を適用してもよい。例えば、このナレーションとしては、観光案内を行うための音声情報を発生するようにしてもてよい。
【０１５７】
また、上記上記第１〜３実施形態のうちいずれかを組み合わせて実施してもよい。
【０１５８】
以下、上記実施形態と特許請求項の範囲の構成との対応関係について説明すると、ミュージックサーバ３４０が請求項１０に記載のサーバに相当し、位置検出器１０が検出手段に相当し、音楽データが音情報に相当し、ステップ４０３の処理部が請求項１０に記載の送信手段に相当し、ステップ４０５の処理部が請求項１０に記載の受信手段に相当し、ステップ４０６の処理部が請求項１０に記載の再生手段に相当し、モードデータが他の情報に相当し、ステップ４０１の処理部が請求項１１に記載の設定手段に相当し、各ＣＤが請求項１２に記載の記憶手段に相当し、ステップ５０２の処理部が請求項１２に記載の選択手段に相当し、第３実施形態におけるステップ４０６の処理部が請求項１２に記載の報知手段に相当し、上記第３実施形態のステップ４０１の処理部が請求項１３に記載の設定手段に相当し、外部データ５０ａが請求項１４に記載の特徴記憶手段に相当し、上記第３実施形態のステップ５０１の処理部が請求項１５に記載の記憶設定手段に相当し、設定データｐ（１）〜ｐ（ｎ）が特徴情報に相当する。
【図面の簡単な説明】
【図１】本発明の車載用ナビゲーション装置の第１実施形態の概略構成を示すブロック図である。
【図２】図１に示す外部メモリに記憶されたデータを説明するための図表である。
【図３】図１に示す制御回路の作動を示すフローチャートである。
【図４】図１に示す制御回路の処理の具体例の説明図である。
【図５】図１に示す表示部の表示を示す図である。
【図６】図１に示す制御回路の処理の具体例の説明図である。
【図７】図１に示す表示部の表示を示す図である。
【図８】本発明の第２実施形態の構成を示すブロック図である。
【図９】第２実施形態における音楽データ毎の設定データを示す図である。
【図１０】第２実施形態における制御回路の作動を示す図である。
【図１１】本発明の第３実施形態の構成を示すブロック図である。
【図１２】第２実施形態における制御回路の作動を示す図である。
【符号の説明】
１０…位置検出部、４０…音声出力器、５０…外部メモリ、
１００…制御回路。
【図１】
0004036047.tif 000003
【図２】
0004036047.tif 000004
【図３】
0004036047.tif 000005
【図４】
0004036047.tif 000006
【図５】
0004036047.tif 000007
【図６】
0004036047.tif 000008
【図７】
0004036047.tif 000009
【図８】
0004036047.tif 000010
【図９】
0004036047.tif 000011
【図１０】
0004036047.tif 000012
【図１１】
0004036047.tif 000013
【図１２】
0004036047.tif 000014